(57)【要約】【課題】ＡＳＫ変調信号の信号レベル調整時にＡＳＫ変調信号のハイレベルを不変としてローレベルを変化させる制御回路２、３を形成し、安価な構成素子を用いて制御回路２、３の形成が可能なＡＳＫ変調信号調整回路を提供する。【解決手段】ハイレベル及びローレベルを持つＡＳＫ変調信号とハイレベル及びローレベルの２値送信制御信号とが供給され、２値送信制御信号の２値レベルによりＡＳＫ変調信号の出力を制御するトランジスタ制御回路２、３と、トランジスタ制御回路２、３と接地間に接続されたレベル調整用可変抵抗１６とからなり、トランジスタ制御回路２、３は、２値送信制御信号がハイレベルのときにＡＳＫ変調信号が出力されるもので、レベル調整用可変抵抗１６は、調整時に出力されるＡＳＫ変調信号のハイレベルが不変でローレベルだけが変化するようにレベル調整を行う。【選択図】図１
2007150563.tif 000002
【特許請求の範囲】
【請求項１】
ハイレベル及びローレベルを持つＡＳＫ変調信号とハイレベル及びローレベルの２値送信制御信号とが供給され、前記２値送信制御信号の２値レベルによって前記ＡＳＫ変調信号の出力を制御するトランジスタ制御回路と、前記トランジスタ制御回路と接地間に接続されたレベル調整用可変抵抗とからなり、前記トランジスタ制御回路は、前記２値送信制御信号がハイレベルのときにＡＳＫ変調信号が出力されるもので、前記レベル調整用可変抵抗は、調整時に前記出力されるＡＳＫ変調信号のハイレベルが不変の状態で、ローレベルだけが変化するようにレベル調整を行うものであることを特徴とするＡＳＫ変調信号調整回路。
【請求項２】
前記トランジスタ制御回路は、コレクタ・エミッタ経路が直列接続された第１トランジスタ及び第２トランジスタからなり、前記第１トランジスタは、コレクタが電源端子に、ベースがＡＳＫ変調信号入力端子にそれぞれ接続され、前記第２トランジスタは、ベースが２値送信制御信号入力端子に接続され、エミッタがＡＳＫ変調信号出力端子に接続されるとともに、前記レベル調整用可変抵抗を含む抵抗回路を通して接地点に接続されることを特徴とする請求項１に記載のＡＳＫ変調信号調整回路。
【発明の詳細な説明】
【技術分野】
【０００１】
本発明は、ＡＳＫ変調信号調整回路に係り、特に、ハイレベルとローレベルを持つＡＳＫ変調信号のハイレベルを不変の状態でローレベルだけを調整することを可能にしたＡＳＫ変調信号調整回路に関する。
【背景技術】
【０００２】
従来、高速道路や有料道路に用いられているノンストップ自動料金収受システム（Ｅｌｅｃｔｒｏｎｉｃ  Ｔｏｌｌ  Ｃｏｌｌｅｃｔｉｏｎ  Ｓｙｓｔｅｍ、以下、このシステムをＥＴＣという）においては、料金所側に設置されているＥＴＣ用送受信端局と、自動車側に搭載されるＥＴＣ用車載送受信器との間で、ＡＳＫ変調信号によって変調された５．８ＧＨｚ帯のＲＦ変調信号による時分割双方向通信を用い、そのＲＦ変調信号の授受が正規に行われた際に、所定の通行料金が自動的に徴収されるシステムである。
【０００３】
この場合、自動車側に搭載されるＥＴＣ用車載送受信器として種々のものが知られているが、その中の一つに、特開２００１−３４５７３４号に開示されたＥＴＣ用車載送受信器がある。この特開２００１−３４５７３４号に開示されたＥＴＣ用車載送受信器は、ＲＦ信号をＡＳＫ変調信号で変調したＲＦ変調信号を形成して無線送信する送信回路部と、無線送信されたＲＦ変調信号を受信したとき受信信号の中のＡＳＫ変調信号を抽出する受信回路部とを備え、マイクロコンピュータからなる制御部の制御によって、空中線回路を送信回路部に接続するかまたは空中線回路を受信回路部に接続するかを時分割的に切替ることにより、送信回路部によるＲＦ変調信号の送信動作と、受信回路部によるＡＳＫ変調信号の受信動作とを択一的に切替えるようにし、所要のＲＦ変調信号の授受が行われるものである。
【０００４】
ところで、この種のＥＴＣ用車載送受信器は、ＲＦ信号をＡＳＫ変調信号で変調して無線送信するＲＦ変調信号を形成する際に、ＲＦ変調信号の送信電力（空中線電力）とＲＦ変調信号の変調指数をそれぞれ所定値になるような調整手段が用いられている。この場合、ＲＦ変調信号の送信電力の調整とＲＦ変調信号の変調指数の調整とは、互いにその調整結果が影響し合って何回となく再調整することが多いので、それらの調整部分をそれぞれ異なった回路に設けるようにしている。
【０００５】
この場合、ＲＦ変調信号の送信電力の調整手段としては、ＲＦ電力増幅段に設けられ、ＲＦ変調信号レベルを調整するための可変抵抗を用いる手段が知られており、一方、ＲＦ変調信号の変調指数の調整手段としては、ＡＳＫ変調信号経路内に設けられ、ＡＳＫ変調信号レベルを調整するための可変抵抗を用いる手段が知られている。そして、このようなＲＦ変調信号の変調指数の調整手段は、送信回路部におけるＲＦ変調回路の前段回路、すなわちＲＦ変調回路にＡＳＫ変調信号を供給するＡＳＫ変調信号フィルタの入力側に配置されたＡＳＫ変調信号出力回路に設けられているものが知られている。
【０００６】
ここで、図２は、かかる既知のＲＦ変調信号の変調指数の調整手段を備えたＡＳＫ変調信号調整回路の一例を示す回路構成図である。
【０００７】
図２に示されるように、このＡＳＫ変調信号出力回路２０は、ＣＭＯＳ型アンドゲート回路２１と、ＡＳＫ変調信号入力端子２２と、送信制御信号入力端子２３と、可変抵抗２４と、ＡＳＫ変調信号出力端子２５と抵抗２６、２７、２８、２９、３０、３１、３２、３３、３４と、コンデンサ３４と、電源端子３５とからなっている。そして、これらの構成素子２１乃至３５は、図２に図示されるように相互接続されている。この場合、ＡＳＫ変調信号は、ハイレベルとローレベルを持つ２値の信号であり、送信制御信号は、送信回路部の動作時にハイレベルになり、送信回路部の非動作時にローレベルになる２値信号である。
【０００８】
前記構成によるＡＳＫ変調信号調整回路２０は、次のように動作する。
【０００９】
ＡＳＫ変調信号入力端子２２に供給されたＡＳＫ変調信号は、抵抗２６、２７からなる逆Ｌ型回路を通してＣＭＯＳ型アンドゲート回路２１の第１入力端に供給され、送信制御信号入力端子２３に供給された送信制御信号は、抵抗２８、２９からなる逆Ｌ型回路を通してＣＭＯＳ型アンドゲート回路２１の第２入力端に供給される。このとき、ＣＭＯＳ型アンドゲート回路２１は、第２入力端にハイレベルの送信制御信号が供給されたとき、第１入力端に供給されたＡＳＫ変調信号をその出力端に送出し、第２入力端にローレベルの送信制御信号が供給されたとき、第１入力端に供給されたＡＳＫ変調信号の出力を阻止する。なお、ＣＭＯＳ型アンドゲート回路２１でＡＳＫ変調信号の出力が阻止された場合、ＣＭＯＳ型アンドゲート回路２１の出力端のレベルはＡＳＫ変調信号のローレベルに等しいレベルになる。
【００１０】
次いで、ＣＭＯＳ型アンドゲート回路２１から出力されたＡＳＫ変調信号は、抵抗３０、３１及びコンデンサ３４からなるＴ型ローパスフィルタによって不要な周波数成分が除去され、可変抵抗２４、抵抗３２、３３からなるπ型減衰回路でその信号レベルが調整され、ＡＳＫ変調信号出力端子２５から次続回路に供給される。この場合、可変抵抗２４は、ＡＳＫ変調信号出力端子２５に供給されるＡＳＫ変調信号の信号レベルを調整するもので、可変抵抗２４の抵抗値が大きくなるように設定すると、その減衰量が増大し、ＡＳＫ変調信号の信号レベルが小さくなり、一方、可変抵抗２４の抵抗値が大きくなるように設定すると、その減衰量が減少し、ＡＳＫ変調信号の信号レベルが大きくなる。
【特許文献１】特開２００１−３４５７３４号
【発明の開示】
【発明が解決しようとする課題】
【００１１】
前記構成による既知のＡＳＫ変調信号調整回路２０は、可変抵抗２４の調整によってＡＳＫ変調信号出力端子２５に供給されるＡＳＫ変調信号の信号レベルの調整を行うことができるものの、ＡＳＫ変調信号の信号レベルの調整時に、ＡＳＫ変調信号のハイレベルとローレベルとが同時に互いに逆方向にレベル変化するものであるため、ＲＦ変調信号の変調指数を表わすＡＳＫ変調信号のハイレベルとローレベルとのレベル差を所定のレベル差にすることが難しく、場合によっては、他の回路部分にハイレベルとローレベルとのレベル差を再調整するための調整手段を設ける必要があった。
【００１２】
また、この既知のＡＳＫ変調信号調整回路２０は、比較的高価なＣＭＯＳ型アンドゲート回路２１を用いているので、ＡＳＫ変調信号出力回路２０のコストが上昇し、結果として機器全体の製造コストアップを招くことになる。
【００１３】
本発明は、このような技術的背景に鑑みてなされたもので、その目的は、ＡＳＫ変調信号の信号レベル調整時にＡＳＫ変調信号のハイレベルを不変としてローレベルだけを変化させる制御回路を形成するとともに、安価な構成素子を用いて制御回路を形成できるＡＳＫ変調信号調整回路を提供することにある。
【課題を解決するための手段】
【００１４】
前記目的を達成するために、本発明によるＡＳＫ変調信号調整回路は、ハイレベル及びローレベルを持つＡＳＫ変調信号とハイレベル及びローレベルの２値送信制御信号とが供給され、２値送信制御信号の２値レベルによってＡＳＫ変調信号の出力を制御するトランジスタ制御回路と、トランジスタ制御回路と接地間に接続されたレベル調整用可変抵抗とからなり、トランジスタ制御回路は、２値送信制御信号がハイレベルのときにＡＳＫ変調信号が出力されるもので、レベル調整用可変抵抗は、調整時に前記出力されるＡＳＫ変調信号のハイレベルが不変の状態で、ローレベルだけが変化するようにレベル調整を行うものである構成手段を具備する。
【００１５】
前記構成手段において、トランジスタ制御回路は、コレクタ・エミッタ経路が直列接続された第１トランジスタ及び第２トランジスタからなり、第１トランジスタは、コレクタが電源端子に、ベースがＡＳＫ変調信号入力端子にそれぞれ接続され、第２トランジスタは、ベースが２値送信制御信号入力端子に接続され、エミッタがＡＳＫ変調信号出力端子に接続されるとともに、レベル調整用可変抵抗を含む抵抗回路を通して接地点に接続されているものである。
【発明の効果】
【００１６】
以上のように、本発明の請求項１に記載のＡＳＫ変調信号調整回路によれば、ＡＳＫ変調信号と送信制御信号が供給されるトランジスタ制御回路を用い、このトランジスタ制御回路は２値送信制御信号がハイレベルのときにＡＳＫ変調信号を出力し、レベル調整用可変抵抗はその調整時にトランジスタ制御回路から出力されるＡＳＫ変調信号のハイレベルが不変の状態で、ローレベルだけが変化するようにレベル調整を行うものであるので、レベル調整用可変抵抗の調整により、ＡＳＫ変調信号のハイレベルを不変としてローレベルだけを変化させることができ、それによりハイレベルとローレベルのレベル差が所定レベル差になるように設定することができ、他の同種の調整手段を必要としないという効果がある。
【００１７】
また、本発明の請求項２に記載のＡＳＫ変調信号調整回路によれば、請求項１に記載の効果の他に、トランジスタ制御回路を安価な第１トランジスタ及び第２トランジスタを用いて構成するようにし、高価な構成素子を用いていないので、ＡＳＫ変調信号調整回路の製造コストが安価になるという効果がある。
【発明を実施するための最良の形態】
【００１８】
以下、本発明の実施の形態を図面を参照して説明する。
【００１９】
図１は、本発明によるＡＳＫ変調信号調整回路の実施の形態に係わるもので、その要部構成を示す回路構成図である。
【００２０】
図１に示されるように、この実施の形態によるＡＳＫ変調信号調整回路１は、第１トランジスタ２と、第２トランジスタ３と、ＡＳＫ変調信号入力端子４と、送信制御信号入力端子５と、抵抗６、７、８、９、１０、１１、１２、１３、１４、１５と、可変抵抗１６と、コンデンサ１７と、ＡＳＫ変調信号出力端子１８と、電源端子１９とからなっている。この場合、ＡＳＫ変調信号は、ハイレベルとローレベルを持つ２値信号であり、送信制御信号は、送信回路部の動作時にハイレベルになり、送信回路部の非動作時にローレベルになる２値信号である。
【００２１】
そして、第１トランジスタ２は、ベースが抵抗６を介してＡＳＫ変調信号入力端子４に接続されるとともに抵抗７を通して接地接続され、コレクタが電源端子１９に接続され、エミッタが第２トランジスタ３のコレクタに接続されるとともに抵抗１０を通して接地接続される。第２トランジスタ３は、抵抗８を介して送信制御信号入力端子５に接続されるとともに抵抗９を通して接地接続され、エミッタが可変抵抗１６と抵抗１１の直列回路を通して接地接続される。また、２個の直列抵抗１２、１３と分路コンデンサ１７は、Ｔ型ローパスフィルタ回路を構成し、その入力端が第２トランジスタ３のエミッタに接続され、その出力端がＡＳＫ変調信号出力端子１８に接続される。ＡＳＫ変調信号出力端子１８は、１５を通して電源端子１９に接続され、抵抗１４を通して接地接続される。
【００２２】
前記構成によるＡＳＫ変調信号調整回路１は、次のように動作する。
【００２３】
ＡＳＫ変調信号入力端子４に供給されたＡＳＫ変調信号は、抵抗６、７からなる逆Ｌ型回路を通して第１トランジスタ２のベースに供給されると、第１トランジスタ２はそのＡＳＫ変調信号をエミッタフォロワ形式で増幅し、エミッタから第２トランジスタ３のコレクタに供給される。また、送信制御信号入力端子５に供給された送信制御信号は、抵抗８、９からなる逆Ｌ型回路を通して第２トランジスタ３のベースに供給される。第２トランジスタ３は、送信制御信号がハイレベルのときに第２トランジスタ３が導通し、そのコレクタに供給されたＡＳＫ変調信号をエミッタに伝送供給する。一方、第２トランジスタ３は、送信制御信号がローレベルのときに第２トランジスタ３を非導通にし、そのコレクタからエミッタへのＡＳＫ変調信号の伝送を阻止する。
【００２４】
次いで、第２トランジスタ３の導通時にエミッタに伝送されたＡＳＫ変調信号は、抵抗１２、１３及びコンデンサ１７からなるＴ型ローパスフィルタ回路によって不要な周波数成分が除去された後、ＡＳＫ変調信号出力端子１８から次続回路に供給される。
【００２５】
かかる動作が行われた際に、第２トランジスタ３の導通時に第２トランジスタ３のエミッタに発生するＡＳＫ変調信号のハイレベルＨｅは、第１トランジスタ２のベースに供給されたＡＳＫ変調信号のハイレベルＨｉｎから第１トランジスタ２のベース・エミッタ接合電圧Ｖｂｅ１と第２トランジスタ３のコレクタ・エミッタ間電圧Ｖｃｅ２とを差し引いた電圧Ｈｉｎ−Ｖｂｅ１−Ｖｃｅ２＝Ｈｅになっており、その電圧Ｈｅは一定である。これに対し、第２トランジスタ３の非導通時にＡＳＫ変調信号のエミッタへの伝送が阻止されると、第２トランジスタ３のエミッタに供給される電圧は、電源端子１９と接地点間に直列接続された分圧抵抗１４、１５から得られた第１分圧電圧を、Ｔ型ローパスフィルタ回路を構成する２個の直列抵抗３０、３１と第２トランジスタ３のエミッタと接地間に直列接続された可変抵抗１６と抵抗１１とによって分圧した第２分圧電圧になる。
【００２６】
そして、この第２分圧電圧は、可変抵抗１６の抵抗値を大きく設定したとき、可変抵抗１６と抵抗１１との総合抵抗値が大きくなるので、第２分圧電圧が大きくなり、ＡＳＫ変調信号のローレベルＬｅが高い値になる。一方、可変抵抗１６の抵抗値を小さく設定したとき、可変抵抗１６と抵抗１１との総合抵抗値が小さくなるので、第２分圧電圧が小さくなり、ＡＳＫ変調信号のローレベルＬｅが低い値になる。
【００２７】
このように、可変抵抗１６の抵抗値を調整することにより、第２トランジスタ３のエミッタに発生するＡＳＫ変調信号のローレベルＬｅは、可変抵抗１６の抵抗値の調整、すなわち、可変抵抗１６の設定抵抗値に応じて変化しているのに対し、第２トランジスタ３のエミッタに発生するＡＳＫ変調信号のハイレベルＨｅは、前述のように、可変抵抗１６の抵抗値の調整に係わりなく一定であるので、結果的に可変抵抗１６の抵抗値を調整することにより、ハイレベルＨｅとローレベルＬｅのレベル差を調整することができ、その調整により所定のレベル差に設定することが可能になる。
【図面の簡単な説明】
【００２８】
【図１】本発明によるＡＳＫ変調信号調整回路の実施の形態に係わるもので、その要部構成を示す回路構成図である。
【図２】既知のＲＦ変調信号の変調指数の調整手段を備えたＡＳＫ変調信号調整回路の一例を示す回路構成図である。
【符号の説明】
【００２９】
１  ＡＳＫ変調信号調整回路抵抗
２  第１トランジスタ
３  第２トランジスタ
４  ＡＳＫ変調信号入力端子
５  送信制御信号入力端子
６、７、８、９、１０、１１、１２、１３、１４、１５  抵抗
１６  可変抵抗
１７  コンデンサ
１５  ＡＳＫ変調信号出力端子
１９  電源端子
【図１】
2007150563.tif 000003
【図２】
2007150563.tif 000004